(57)【特許請求の範囲】
【請求項１】
物品を載置する載置台と、該載置台上に載置された物品の上方に配置される天板状部材と、該天板状部材を支持する複数の支持部材とを有する梱包装置において、
前記物品は物品本体と該物品本体の側面に突出する突出部を有し、
前記物品と前記天板状部材との間に介在し、前記物品の一方側で前記支持部材に支持されて配置される緩衝部材があり、
該緩衝部材は前記支持部材同士間に挟まれて支持されるベース部と、そのベース部に、前記物品本体の上方に部分的に被るようにずれて位置する上側部とを有し、
前記突出部の上方に位置する前記ベース部の下面と前記突出部の上面との間の縦方向間隔が、前記上側部の下面と前記物品本体の上面との間の縦方向間隔よりも小さいことを特徴とする梱包装置。
【請求項２】
前記緩衝部材のベース部は長手方向の両側端面が前記支持部材に当接する長辺箱で、前記緩衝部材の上側部は長手方向の長さが前記長辺箱より短い短辺箱であることを特徴とする、請求項１に記載の梱包装置。
【請求項３】
前記緩衝部材の前記ベース部と前記上側部が別体で、該上側部の下部が前記ベース部上に埋め込まれて成ることを特徴とする、請求項１に記載の梱包装置。
【請求項４】
前記緩衝部材が第１の緩衝部材であり、前記物品の他方側には第２の緩衝部材が配置されていることを特徴とする、請求項１に記載の梱包装置。
【請求項５】
前記第１及び第２の緩衝部材が、それぞれ物品の両端部に位置して配置されることを特徴とする、請求項４に記載の梱包装置。
【請求項６】
前記ベース部と前記上側部とが水平方向にずれ且つ上下の位置関係となるように設けられており、該ベース部と上側部とで形成される角部が前記物品の角部に沿って配置されることを特徴とする、請求項１に記載の梱包装置。
【請求項７】
前記物品が画像形成装置であり、前記突出部が両面ユニットであることを特徴とする、請求項１に記載の梱包装置。
【請求項８】
前記緩衝部材の前記上側部が箱状に形成され、該箱状の上側部の内部には前記物品の付属品が梱包されていることを特徴とする、請求項１に記載の梱包装置。
【請求項９】
前記付属物がトナーボトルであることを特徴とする、請求項８に記載の梱包装置。
【請求項１０】
前記箱状の上側部には、内部に梱包した付属物を視認するための穴が形成されていることを特徴とする、請求項８又は９に記載の梱包装置。
【請求項１１】
前記緩衝部材は上下方向の振動に対する緩衝特性を有することを特徴とする、請求項１〜１０のいずれか１項に記載の梱包装置。
【請求項１２】
前記載置台上に配置され物品の位置決めを行なう位置決め部材を有し、前記緩衝部材は、物品の上下方向の移動量を前記位置決め部材の高さ未満に規制することを特徴とする、請求項１１に記載の梱包装置。
【請求項１３】
前記緩衝部材が段ボール製であることを特徴とする、請求項１〜１２のいずれか１項に記載の梱包装置。
【発明の詳細な説明】
【技術分野】
【０００１】
本発明は、画像形成装置等の物品を梱包して運搬・納品・保管するための梱包装置に関するものである。
【背景技術】
【０００２】
【特許文献１】特開２００２−２６４８１５号公報
【特許文献２】特開２０００−２６４３３７号公報
【０００３】
従来、各種物品や製品等を梱包して運搬・納品するにはダンボール等の梱包材が用いられてきた。このような従来の梱包材は、ユーザの元で開梱された後はユーザによって保存されるか、不要な場合は廃棄物として処理されていた。
【０００４】
近年、省資源に対応するため、各種物品・製品の梱包材についてもリユースが要求されている。しかし、従来のダンボール等の梱包材は耐久性が低く、製品の運搬あるいは保管に繰り返して使用するには適さなかった。
【０００５】
また、樹脂や金属製などリユース可能な梱包材もあるが、ダンボール製を含め従来の梱包材は機種ごとに異なる形状や大きさに合わせて梱包材を用意しなければならず、設計や管理が面倒でコスト上昇の要因ともなってしまう。
【０００６】
そこで、特許文献１に記載されたようなキャスタ付き台車に各種製品を搭載して運搬・納品することが考えられる。キャスタ付き台車は再利用が可能であり、また異なる形状・サイズの装置・製品を搭載することも可能ではあるが、単に台車に製品等を搭載したのでは安定が悪く、輸送中の製品等を傷つけたり損傷させたりする恐れがあるという問題があった。
【０００７】
一方、本願出願人は、多様なサイズの物品でもそれに適した大きさのパレット上に載置して位置決めでき、安定した状態で物品を運搬・保管することのできる物品運搬保管装置を先に提案している（特許文献２）。その物品運搬保管装置においては、パレット上に載置された物品の下部を位置決めする部材、あるいは、製品の側部に対し押圧する部材により、水平方向の振動に対して物品の位置ズレを防止するようになっている。
【発明の開示】
【発明が解決しようとする課題】
【０００８】
しかしながら、運搬時に上下方向の大きな振動が物品運搬保管装置（梱包装置）に加わった場合には、パレット上の位置決め部に物品が乗り上げる可能性があり、物品が傾いた状態で運搬される恐れがある。すると、物品運搬保管装置の重心位置がずれるため安定性が低下し、運搬時に問題を起こすことがある。特に、重心位置がずれた物品運搬保管装置を上段に積み重ねた場合には安定が良くない。
【０００９】
本発明は、従来の梱包装置における上述の問題を解決し、多様な製品・物品を梱包可能で運搬時・保管時に製品・物品を安定させることのできる循環型の梱包装置を提供することを課題とする。
【課題を解決するための手段】
【００１０】
前記の課題は、本発明により、物品を載置する載置台と、該載置台上に載置された物品の上方に配置される天板状部材と、該天板状部材を支持する複数の支持部材とを有する梱包装置において、前記物品は物品本体と該物品本体の側面に突出する突出部を有し、前記物品と前記天板状部材との間に介在し、前記物品の一方側で前記支持部材に支持されて配置される緩衝部材があり、該緩衝部材は前記支持部材同士間に挟まれて支持されるベース部と、そのベース部に、前記物品本体の上方に部分的に被るようにずれて位置する上側部とを有し、前記突出部の上方に位置する前記ベース部の下面と前記突出部の上面との間の縦方向間隔が、前記上側部の下面と前記物品本体の上面との間の縦方向間隔よりも小さいことにより解決される。
【００１１】
また、前記緩衝部材のベース部は長手方向の両側端面が前記支持部材に当接する長辺箱で、前記緩衝部材の上側部は長手方向の長さが前記長辺箱より短い短辺箱であると好ましい。
【００１２】
また、前記緩衝部材の前記ベース部と前記上側部が別体で、該上側部の下部が前記ベース部上に埋め込まれて成ると好ましい。
【００１３】
また、前記緩衝部材が第１の緩衝部材であり、前記物品の他方側には第２の緩衝部材が配置されていると好ましい。
また、前記第１及び第２の緩衝部材が、それぞれ物品の両端部に位置して配置されると好ましい。
【００１７】
また、前記物品が画像形成装置であり、前記突出部が両面ユニットであると好ましい。
また、前記緩衝部材の前記上側部が箱状に形成され、該箱状の上側部の内部には前記物品の付属品が梱包されていると好ましい。
【００１９】
また、前記付属物がトナーボトルであると好ましい。
また、前記箱状の上側部には、内部に梱包した付属物を視認するための穴が形成されていると好ましい。
【００２０】
また、前記緩衝部材は上下方向の振動に対する緩衝特性を有すると好ましい。
また、前記載置台上に配置され物品の位置決めを行なう位置決め部材を有し、前記緩衝部材は、物品の上下方向の移動量を前記位置決め部材の高さ未満に規制すると好ましい。
また、前記緩衝部材が段ボール製であると好ましい。
【発明の効果】
【００２１】
本発明の梱包装置によれば、物品と天板状部材との間に介在し物品の所定以上の移動を抑制する箱状の緩衝部材を備えるので、簡単な構成の緩衝部材により梱包した物品を押さえ、運搬時・保管時に物品を安定させることができる。しかも、輸送時の振動等により物品が飛び跳ねた場合に、先に突出部をベース部で受け、物品本体の上面を保護することができる。
【発明を実施するための最良の形態】
【００３７】
以下、本発明の実施の形態を図面に基づいて説明する。
図１は、本発明を適用可能な梱包装置の一例である梱包ラックにより製品を梱包した様子を示す斜視図である。また、図２は、その梱包ラックの構成を模式的に示す分解図である。
【００３８】
これらの図に示す梱包ラック１は、製品１００を載置する載置台であるパレット２と、パレット２の四隅に嵌合される４本の支持部材としての支柱３と、各支柱３の上部に装着される天板（上蓋）４を有している。なお、図３に示すように、搭載した製品の側面を保護する面板７を支柱３，３間に装着することもできる。
【００３９】
パレット２は本例では樹脂により形成され、フォークリフトのフォークを挿入するためのフォーク挿入孔２ａ，２ａが設けられている。また、パレット上面は、外周部を残して内側を下方に窪ませて凹部２ｂを形成しており、該凹部２ｂ内に緩衝材５を配置している。また、その緩衝材５の上からは受板６が填め込まれる。受板６を取り付けたときに、受板６の上面とパレット上面（外周部の上面）に段差ができないように構成されている。したがって、パレット外周部の上面と受板６の上面の高さが一致してフラットとなるので、キャスタを有する製品を搭載する場合に製品の移動が容易となり、作業性が向上される。なお、パレット外周部の四隅には支柱３を装着するための嵌合部２ｃが設けられている。
【００４０】
パレット２の凹部２ｂ内に配置される緩衝材５は、本例では発泡材を用いており、発泡倍率の低いもの（低発泡緩衝材）と発泡倍率の高いもの（高発泡緩衝材）の２種類を使用している。搭載する物品の足部（キャスタ等）による荷重がかかる部分には低発泡緩衝材を、それ以外の部分には高発泡緩衝材を配置している。これにより、輸送時の上下方向の振動に対して、物品足部に相当する受板６に掛かる荷重が低緩衝材により吸収されるとともに、製品の足部間に相当する受板６に掛かる荷重は受板６の撓みによって高発泡緩衝材により吸収されることで、搭載製品に伝達される衝撃を緩和することができる。
【００４１】
支柱３は、共に略Ｌ字状断面の第１部材（上支柱）３ａと第２部材（下支柱）３ｂを有しており、上支柱３ａと下支柱３ｂを重ね合わせて長さ調節が可能に構成されている。すなわち、上支柱３ａと下支柱３ｂには図示しない複数の係合孔が設けられており、支柱３が所定の高さ（長さ）となるように両者の係合孔を合わせ、その係合孔に係止部材（図示せず）を装着することで調節が行われる。各支柱３は、パレット２上面の角部に設けられた嵌合部２ｃに填めこまれ、パレット上に起立される。
【００４２】
天板４は、４本の支柱３の上に装着され、受板６上に載置される製品の上方を覆うように設けられる。天板４と各支柱３とは着脱可能となっている。図４に示すように、天板中央部４ａは周辺部４ｂから上方に突出して設けられ、中央部４ａと周辺部４ｂが斜辺部４ｃにより連絡されている。天板の中央部４ａが周辺部４ｂから上方に突き出ている形状により、天板を単純な平面状とした場合よりも強度が向上される。本例では、天板４の上にパレット２を積み重ねて、梱包装置１を段積みできるように構成され、パレット２の脚部２ｄが天板４の周辺部４ｂ上に重ね載置可能に設けられている。図５に、梱包装置１を積み重ねて段積みした状態を示す。ここでは図３で説明したように、支柱３，３間に面板７を挿入しストッパ７ａで保持させたものを示してある。梱包装置１を段積みした場合、下段の梱包装置１の天板４の上に、上段の梱包装置１のパレット２が載置され、天板４にパレット２が嵌合して位置決めされ、上段の梱包装置がずれないようになっている。また、上段の梱包装置のパレット２のフォーク挿入孔２ａ（図２参照）にフォークリフトのフォークを挿入して、上段の梱包装置１を下に降ろすことが可能である。
【００４３】
なお、製品を梱包するに際し、図１に示すように、製品１００をカバー８で覆い、埃が製品に付着することを防止すると好適である。本例におけるカバー８は、図６に示すように、１辺が開口（８ａ）した透明なプラスチックフィルムで構成されており、製品や物品を外から確認できるようになっている。
【００４４】
また、図１に示すように、本例の梱包装置１では、支柱３にスペーサ１４を適宜装着し、支柱３と搭載した製品の間の隙間をふさいで、製品の揺れや移動を防止するように構成している。スペーサ１４は上支柱３ａ又は下支柱３ｂのどちらにも装着可能である。
【００４５】
図７は、支柱３（ここでは下支柱３ｂ）に装着したスペーサ１４を支柱裏側から見た様子を示すものである。また、図８は、スペーサ装着部を上方から見た様子を示す模式図である。これらの図に示すように、スペーサ１４はベース１５及びパッド１６から構成されている。
【００４６】
ところで、図９に示すように、パレット２の上面には複数の位置決め部材２５，２６が配置されている。本例では、パレット２の一辺の周辺部（受板６の外側部分）に設けた２つの位置決め部材２５と、受板６上に配置される４つの着脱式位置決め部材２６を有している。本例では位置決め部材２５はパレットに固定または一体成型としているが、着脱式としても良い。一方、着脱式位置決め部材２６は、受板６の上面に設けられた装着孔２７（図１０）に装着される。その装着孔２７は、搭載する製品に応じた位置に着脱式位置決め部材２６を装着できるように構成されている。
【００４７】
本例のパレット２に製品を搭載する場合の位置決め固定方法について説明する。まず、着脱式位置決め部材２６を装着しない状態のパレット２を用意し、パレットの受板６上に製品を載置する。製品１００の一側面の下部をパレット２の周辺部に固設した位置決め部材２５，２５に押し当て、製品の一方側（一側面）で位置決めを行なう。次に、図１０に模式的に示すように、製品１００の奥側と位置決め部材２５と反対側の各側面を押さえるために、装着孔２７Ｂ，２７Ｂ及び装着孔２７Ｃ，２７Ｄの適切な小穴に着脱式位置決め部材２６を装着する。そして、着脱式位置決め部材２６の側面で製品１００の下部側面を押圧して、２つの位置決め部材２５及び４つの着脱式位置決め部材２６とで製品１００の３側面を位置決めして固定する。製品１００の前面は、図１に示すように、パレット２に立設させた支柱３に取り付けたスペーサ１４で押さえ、位置決め固定する。
【００４８】
上記のようにして製品を位置決め搭載した状態の梱包装置を上方から見た様子を図１１に示す。なお、この図では天板４を外した（省略した）状態で示してある。図示例では、製品１００の前側（前面）だけでなく奥側（後面）も、支柱３に装着したスペーサ１４で搭載した製品を押さえている。なお図示例では、製品１００は画像形成装置としての複写装置であり、符号１０１はスキャナ部、符号１０２はスキャナ部上面に設けられたコンタクトガラス、符号１０３はＡＤＦ（自動原稿搬送装置）用のスリットガラス、符号１０４はスキャナ部前面に位置して設けられた操作パネル、符号１０５は胴内排紙トレイの一部、符号１１０は複写装置本体の側面に取り付けられた両面ユニットである。なお、ここではコンタクトガラス上に配置される圧板もしくはＡＤＦは別途梱包する例で示してある。また、両面ユニット１１０と反対側には、パッド１７を支柱３，３間に挿入して支持させている。
【００４９】
次に、本発明の要旨である、上下方向の振動に対して搭載した製品を安定させるための構成について説明する。
図１２，１３に示すように、本例の梱包装置１では、パレット２上に載置した製品１００と天板４（図１２，１３では図示を省略してある）との間に配置する第１緩衝部材２０及び第２緩衝部材３０を有している。両緩衝部材２０，３０は、一例として段ボールを折り畳んで箱形状に構成されている。また、両緩衝部材２０，３０の下面は搭載する製品１００の上面に沿った形状に形成されている。第１及び第２緩衝部材２０，３０は、搭載する製品１００の両側に、本例では製品１００の両端部に位置して配置される。
【００５０】
第１緩衝部材２０は、図１４，１５に示すように、ベース部２１（長辺箱）と傾斜部２２と上側部２３（短辺箱）とで構成される。ベース部２１は略直方体であって、長手方向の一端面から他端面までの長さは、梱包装置１における支柱３，３間の距離にほぼ等しく設定されている。傾斜部２２は、上方に位置する天板４の裏面形状（斜辺部４ｃ（図４））に沿うように形成されており、第１緩衝部材２０をセットしたときに天板４と緩衝しないように構成されている。上側部２３は略直方体であって、傾斜部２２の側面から突出して設けられ、該上側部２３の下方には高さＨ１の空間が形成されている。ベース部２１と上側部２３の位置関係は、水平方向にずれ且つ上下の位置関係となるように設けられている。
【００５１】
なお、本例の第１緩衝部材２０には、画像形成装置である製品１００で用いるトナーボトルを収納できるように設けられており、ベース部２１内に上下に２本、上側部２３内に１本のトナーボトルを収納して梱包可能である。なお、カラー複写装置である製品１００で用いる各色トナーボトルの大きさは同一であり、トナーボトルの長さは上側部２３の長さとほぼ同じである。したがって、ベース部２１内にトナーボトルを収納したときには空間（長手方向の長さ）が余ることになるが、本例では、ベース部２１内の傾斜部２２の両端部位置に図示しない仕切を設けることにより、第１緩衝部材２０の長手方向の振動に対してもトナーボトルが損傷しないように配慮されている。なお、仕切を設けるのではなく、両側突出部（傾斜部２２の両側から突出した部分）内に適宜な緩衝材等を詰め、振動を吸収するようにしても良い。
【００５２】
また、内部に収納したトナーボトルの色を確認できるように、ベース部２１及び上側部２３には、それぞれ穴としての切欠き２１ａ，２３ａを設けている。これらの切欠き２１ａ，２３ａは、トナーボトルの商品名や色記号等を表示したシールの位置に相当する部分に設けると好適である。これにより、内部にトナーボトルを収納した第１緩衝部材２０を開くことなく、梱包したトナーボトルの色を確認でき、作業性が向上される。
【００５３】
第２緩衝部材３０は、図１６に示すように、箱状部３２と、その箱状部に連なる板状部３１とから構成されている。第２緩衝部材３０においても、箱状部３２内に１本のトナーボトルを収納可能に設けられており、切欠き３２ａにより梱包したトナーボトルの色を認識可能である。該切欠き３２ａも、トナーボトルの商品名や色記号等を表示したシールの位置に相当する部分に設けると好適である。
【００５４】
上記第１及び第２緩衝部材２０，３０を製品１００の上に載置する方法について説明する。
まず、天板４を除き、梱包装置１に製品１００を搭載して梱包する。
【００５５】
次に、第１緩衝部材２０のベース部２１の一方側の端面２１ｂ（図１５）を製品１００の正面側に向けて図１７のように上方から前後の支柱３，３間に挿入してセットする。このとき、ベース部２１の下面が支柱３の下支柱３ｂ（図１１参照）の上面と接触するように載置する。第１緩衝部材２０を支柱３，３間にセットすると、ベース部２１の両側端面が支柱３，３の内側側面に当接し、第１緩衝部材２０が支柱３，３間に嵌合される。また、第２緩衝部材３０は、製品１００の側端（この場合、スキャナ部１０１の左側端部）とパッド１７との間の隙間に板状部３１を挿入してセットする。
【００５６】
第１及び第２緩衝部材２０，３０を梱包装置にセットしたときの、各緩衝部材２０，３０と製品１００との位置関係は、図１２，１３，１７〜１９に示すようである。
【００５７】
図示例の製品１００を搭載した場合、下支柱３ｂの頂部が両面ユニット１１０の上面より上方に位置しているため、第１緩衝部材２０のベース部２１の下面と両面ユニット１１０上面との間には、図１９に示すように縦方向間隔である隙間Ｓ１（約２０ｍｍ）を形成している。また、第１緩衝部材２０の上側部２３の下面とスキャナ部１０１上面との間にも、図１９に示すように縦方向間隔である隙間Ｓ２（約４０ｍｍ）が形成される。なお、図１７，１８から明らかなように、上側部２３の先端部がコンタクトガラス１０２の右側端部の一部に重なるように配置される。したがって図１９に示すされるように、第１緩衝部材２０のベース部２１と上側部２３とで形成される角部が製品１００の（スキャナ部１０１の）角部に沿って配置される。
【００５８】
さらに、第１緩衝部材２０の上側部２３及び傾斜部２２と天板４の裏面との間には、図１９に示されるように、上下方向の振動による製品１００の飛び跳ね量を加味した分の空間が形成されている。なお、図１９では、天板４を支持する支柱３は図示を省略している。一方、第２緩衝部材３０は、箱状部３２がスキャナ部１０１の上に載置される。そして、その箱状部３２と天板４の裏面との間にも、製品１００の飛び跳ね量を加味した分の空間が形成される。
【００５９】
このような第１緩衝部材２０の配置により、運搬時の振動により製品１００が上方に飛び跳ねた場合、飛び跳ね量が２０ｍｍ以内であれば第１緩衝部材２０のベース部２１下面と両面ユニット１１０上面との間の隙間（約２０ｍｍ）を上下し、２０〜４０ｍｍの飛び跳ね量の場合は、製品１００が第１緩衝部材２０を持ち上げながら一体で飛び跳ねる。このとき、隙間Ｓ２と隙間Ｓ１との間に２０ｍｍの差がある（Ｓ２＞Ｓ１）ことにより、製品１００と第１緩衝部材２０が一体で飛び跳ねた際にコンタクトガラス１０２に衝撃が加わることを防止している。
【００６０】
一方、第２緩衝部材３０は、箱状部３２がスキャナ部１０１の上に載置される。そして、その箱状部３２と天板４の裏面との間には、製品１００の飛び跳ね量を加味した分の空間が形成される。そして、第２緩衝部材３０は、飛び跳ね量に関わらず製品１００と一体で飛び跳ねることになる。
【００６１】
上記のように、本例の梱包装置１においては、第１及び第２緩衝部材２０，３０を配置したことにより、運搬輸送時に上下方向の大きな振動が加わった場合でも、緩衝部材２０，３０の作用により（本例の緩衝部材２０，３０は段ボール製の箱状であり、撓んで緩衝作用を発揮する）搭載した製品の飛び跳ね量を抑えることができ、上下方向の振動に対して搭載した製品を安定させることができる。また、製品が飛び跳ねたときに、第１及び第２緩衝部材２０，３０の水平な下面で受けるため、製品が傾くことを防止できる。
【００６２】
なお、第１緩衝部材２０の上側部２３上面と天板４の裏面との間の隙間の大きさを、パレット２に設けた位置決め部材２５，２６の高さよりも低く設定しておき、輸送時の振動による製品の上下方向の移動量を位置決め部材２５，２６の高さ未満に規制すれば、位置決め部材２５，２６に製品が乗り上げてしまうことを確実に防止することができる。
【００６３】
図２０は、第１緩衝部材の別例を示すものである。
この図に示す第１緩衝部材２０Ｂは、トナーボトル収容部２８（梱包部）と、そのトナーボトル収容部２８がはめ込まれるベース部２９（支持部）とからなっている。トナーボトル収容部２８を図２１に、ベース部２９を図２２にそれぞれ示す。ベース部２９の長手方向の大きさは、支柱３，３間の距離にほぼ等しい長さになっている。第１緩衝部材２０Ｂを支柱３，３間にセットすると、ベース部２９の両側端面が支柱３，３の内側側面に当接し、第１緩衝部材２０Ｂが支柱３，３間に嵌合される。
【００６４】
トナーボトル収容部２８は、製品１００に用いるトナーボトルを２本収納可能な下部２８ａと、傾斜部２８ｂと、トナーボトルを１本収納可能な上側部２８ｃとを有している。また、収納したトナーボトルの色を確認できるように、下部２８ａと上部２８ｃとに切欠き２８ｄ，ｅが設けられている。この切欠き２８ｄ，ｅの位置は、上記第１緩衝部材２０と同様、トナーボトルの商品名や色記号等を表示したシールの位置に相当する部分に設けると好適である。
【００６５】
ベース部２９は、上面が開口した空箱状であり、内部を２枚の仕切２９ｂ，２９ｂで３つに仕切り、中央の幅広部２９ａにトナーボトル収容部２８の下部２８ａをはめ込んで図２０の第１緩衝部材２０Ｂを構成する。なお本例では、トナーボトル収容部２８は段ボールを箱状に折り畳んで形成したものであり、ベース部２９はプラスチック段ボール製である。トナーボトル収容部２８をベース部２９と同じプラスチック段ボール製としても良い。
【００６６】
本例の第１緩衝部材２０Ｂは、トナーボトル収容部２８とベース部２９を別体とした構成により、搭載する製品に合わせて上側部分であるトナーボトル収容部２８を交換するだけで異なる機種への対応が可能である。また、ベース部２９は既存のものを異なる製品に共通して使用することが可能であり、汎用性を高めることができる。
【００６７】
ところで、リサイクル可能な循環型梱包装置においては、ユーザの元に製品・物品を届けた後は梱包装置を回収する必要がある。このとき、本実施形態の梱包装置１においては、開梱後にパレット２と天板４を積み重ね、各支柱３を縮めて（上支柱３ａと下支柱３ｂを重ねて）コンパクトに回収することができる。また、面板７やパッド１７あるいはスペーサ１４や位置決め部材２５，２６、さらには第１及び第２緩衝部材２０（２０Ｂ），３０等は、製品１００を覆っていたカバー８で梱包することにより、部材を無くすことなく確実に回収することができる。また、第１及び第２緩衝部材２０（２０Ｂ），３０内に、ユーザの元で不要になった使用済みのトナーボトルを収納して回収することもできる。
【００６８】
以上、本発明を図示例により説明したが、本発明はこれに限定されるものではない。
例えば、第１及び第２緩衝部材２０（２０Ｂ），３０の上面に、図７のパッド１６のようなもの（緩衝部材）を一体的又は着脱可能に取り付け、そのパッド１６の他端を天板４の裏面に接触ないし近接させるように設けてもよい。
【００６９】
あるいは、第１及び第２緩衝部材２０（２０Ｂ），３０の上面を天板４の裏面に着脱可能に設け、その天板４に取り付けた第１及び第２緩衝部材２０（２０Ｂ），３０の下面と搭載した製品との間に図７のパッド１６のようなもの（緩衝部材）を配しても良い。
【００７０】
また、第１及び第２緩衝部材２０（２０Ｂ），３０の高さを、その上面が天板４の裏面に接触するよう拡張（大型化）し、該緩衝部材を上下方向に潰れ易い構成として緩衝性を高めても良い。該緩衝部材を上下方向に潰れ易くするとともにその下部に他の緩衝材を配置しても良い。
【００７１】
なお、上記実施例では第１及び第２緩衝部材２０（２０Ｂ），３０に収納するものとしてトナーボトルで説明したが、これに限ることなく、ケーブル類や操作マニュアル、あるいは、その他消耗品やオプション品等を収納梱包しても良い。
【００７２】
また、図示の実施例では第１及び第２緩衝部材２０（２０Ｂ），３０を別構成として製品の両側に配置したが、第１及び第２緩衝部材２０（２０Ｂ），３０を連結した構成としても良い。その場合、連結部の下面はコンタクトガラス１０２と所定の空間（製品が飛び跳ねても干渉しない程度）を形成するものであっても良い。
【００７３】
さらに、図１１以下では、画像形成装置としての複写機である製品１００のコンタクトガラス上に配置される圧板もしくはＡＤＦは別途梱包する例で説明したが、搭載梱包する製品として、図１に示すようなＡＤＦを装着したものあるいは圧板を装着したものにも本発明を適用することで、同様の効果を得ることができる。画像形成装置としては複写機に限らず、プリンタやファクシミリ、あるいは複数の機能を備えた複合機でも良い。
【００７４】
また、梱包装置に搭載梱包する製品は画像形成装置に限らず、電子機器や家具、あるいは事務用品等、多様な製品を梱包可能である。それらの製品に対しても、搭載した製品の飛び跳ね量を抑えることができ、上下方向の振動に対して搭載した製品を安定させることができる。
【図面の簡単な説明】
【００７５】
【図１】本発明を適用可能な梱包装置の一例である梱包ラックにより製品を梱包した様子を示す斜視図である。
【図２】その梱包ラックの構成を模式的に示す分解図である。
【図３】支柱間に面板を装着した梱包ラックを示す斜視図である。
【図４】パレットと天板の断面図である。
【図５】梱包ラックを段積みした様子を示す正面図である。
【図６】製品を覆うカバー部材を示す斜視図である。
【図７】支柱に装着したスペーサを支柱裏側から見た様子を示す部分側面図である。
【図８】スペーサ装着部を上方から見た様子を示す平面図である。
【図９】パレットに着脱式位置決め部材を装着した様子を透視図法で示す模式図である。
【図１０】パレットに製品を搭載する場合の位置決め方法を説明するための模式図である。
【図１１】製品を搭載した梱包装置を上方から見た様子を示す平面図である。
【図１２】製品を搭載し緩衝部材をセットした状態を示す斜視図である。
【図１３】製品を搭載し緩衝部材をセットした状態を示す異なる方向からの斜視図である。
【図１４】第１緩衝部材の斜視図である。
【図１５】第１緩衝部材の異なる方向からの斜視図である。
【図１６】第２緩衝部材の斜視図である。
【図１７】製品を搭載し緩衝部材をセットした状態を示す平面図である。
【図１８】製品の上部付近を示す斜視図である。
【図１９】製品を搭載し緩衝部材をセットした状態を支柱を省略して示す正面図である。
【図２０】第１緩衝部材の別例を示す斜視図である。
【図２１】第１緩衝部材のトナーボトル収容部の斜視図である。
【図２２】第１緩衝部材のベース部の斜視図である。
【符号の説明】
【００７６】
１              梱包ラック（梱包装置）
２              パレット（載置台）
３              支柱（支持部材）
４              天板
１４            スペーサ
１７            パッド（付勢部材）
２０，２０Ｂ    第１緩衝部材（箱状の緩衝部材）
２１            ベース部（長辺箱）
２１ａ，２３ａ  切欠き
２３            上側部（短辺箱）
２８            トナーボトル収容部
２９            ベース部
３０            第２緩衝部材（箱状の緩衝部材）
３１            板状部
３２            箱状部
３２ａ          切欠き
２５            位置決め部材
２６            着脱式位置決め部材
１００          製品（画像形成装置）
１１０          両面ユニット（突出部）
【図１】
0004674153.tif 000002
【図２】
0004674153.tif 000003
【図３】
0004674153.tif 000004
【図４】
0004674153.tif 000005
【図５】
0004674153.tif 000006
【図６】
0004674153.tif 000007
【図７】
0004674153.tif 000008
【図８】
0004674153.tif 000009
【図９】
0004674153.tif 000010
【図１０】
0004674153.tif 000011
【図１１】
0004674153.tif 000012
【図１２】
0004674153.tif 000013
【図１３】
0004674153.tif 000014
【図１４】
0004674153.tif 000015
【図１５】
0004674153.tif 000016
【図１６】
0004674153.tif 000017
【図１７】
0004674153.tif 000018
【図１８】
0004674153.tif 000019
【図１９】
0004674153.tif 000020
【図２０】
0004674153.tif 000021
【図２１】
0004674153.tif 000022
【図２２】
0004674153.tif 000023